Podtech/llm-jp-corpus-v4-ja_patent huggingface dataset:
(57)【要約】      （修正有）【課題】平らに布団を干す事ができ、干す作業、移動する作業、取り込む作業が楽な物干し台の提供。【解決手段】回転車輪が付いている一対のＸ脚の上部に回転ローラ１の付いている平らな台を設け、布団２を寝姿のままの平型で載せることができ、回転ローラ１により任意の位置にもって行ける。強風やその他の余分な力が加わって落下しないよう落下防止用の紐付きクリップを使用する。本体は４本足で移動し、転倒防止用の金具が付いて補強しストッパーで固定する為移動、転倒することがない。【効果】風が通りやすく十分な乾燥が出来、叩いた後の取り込みがかんたんにたやすくでき、干す場合にも従来のように背中や腰に必要以上の力を入れなくてすむ。【選択図】図１
2006271933.tif 000002
【特許請求の範囲】
布団を寝姿のままの平型で本発明の物干し台に載せることができるし、任意の位置にもって行きたい時は干し物台に付いている回転ローラが布団のひき、押すことだけで自分が想っている位置に簡単に置くことができ、又、強風やその他の余分な力が加わって落下しないように落下防止用の紐付きクリップがついてこれを使用する事によって落下を防ぐ、本体は４本足で移動、転倒防止用の金具が付いて補強しストッパーで固定する為移動、転倒する事ない
【発明の詳細な説明】
【技術分野】
【０００１】従来布団を干す時はその物を縦にパイプ干し竿やベランダの手筋その他等を内側に巻きその必要に応じた場所に干していた
［肯景技術］【０００２】従来布団を干す品は幾種類も見受けられるが布団を干す器具としては布団乾燥機や温風機やパイプ式手すりやベランダの手すり等を利用して布団を干していたそれらはいずれも布団を縦にＵ字型の逆方向形に布団の内側にパイプの手すりやベランダの手すり等を中に挟んでいるのが現在の布団の干し方である
［発明の開示］
［発明が解決しようとする課題］【０００３】それには、次のような問題点があった
（イ）従来の布団の干し方ではその物を縦にして自分より上、又は、同じ等の高さで二つ折りにして干すにはその物の内側に中心になるものを挟む必要があった
（ロ）布団を縦型にパイプ干し竿やベランダの手すりに干す場合縦型ですのでその物の任意の高さの位置迄もって行くのに一苦労も力も必要でった
（ハ）（ロ）のような行動をすることにより背中や腰に余分な力が必要以上に掛る為に背中や腰などを痛めるケースも多くあり一苦労する場もあり、それに取り入れる時も同じ事が良く起こりがちです
［課題を解決をするための手段【０００４】（イ）立体布団干し物はスタンド式でその足が倒れないようにそれをカバーする足転倒予防棒を平行に対の足の脚の部分にも付けられる
（ロ）布団を平らに干す時に布団を載せる干し物台の両端と中央付近に回転するローラが付いていて布団を軽く移動をしやすくなっている
（ハ）布団を平らにし干し物台に載せている時も強風その他の余分な力が掛かってそれが移動し落下しないようにそれを落下防止用の布団を挟むクリップが着いている
（二）布団を平らに干し物台に載せている場合布団の裏面の下は空洞になっているので風通しがよく又、日光を直接、又は間接に受け布団がよく乾くので布団をたたくのも簡単で力を入れるのが少なくて済む
（ホ）本体を幾つかに分解して移動や収納を簡単にし、組み立ても簡単に出来るようになっている
（ヘ）布団を平らにして干す場合にそれがずれて落下する事がないように落下防止用にゴム帯付きクリップが役たつ
【図面の簡単な説明】
【０００５】［図１］本発明の斜視図
［図２］本発明品の一部を抜粋した図
［図３］本発明品の各部分の図
［図４］補強金具の留め口と受け止め金具の図
【符号の説明】
【０００６】１  横型式布団干し物台に布団を載せている全体図の回転ローラ
２  布団
３  Ｘ脚
４  自由自在ストッパー付回転車輪
５  Ｘ脚の上部に布団を干す台を載せたところ
６  Ｘ脚に布団を載せる台
７  Ｘ脚転倒防止用支持棒
８  布団落下防止用のクリップつきゴム帯
９  補強金具の受け止め金具の形状
【図１】
2006271933.tif 000003
【図２】
2006271933.tif 000004
【図３】
2006271933.tif 000005
【図４】
2006271933.tif 000006
(57)【要約】【課題】浴槽以外の特別な装置を設置または持ち込むことなく浴槽が冷えていても温かく入浴でき、同時に背中のつぼのマッサージができる浴槽を提供する。【解決手段】浴槽内側面を凹凸状に形成する。【選択図】    図１
2006271936.tif 000002
【特許請求の範囲】
【請求項１】
浴槽であって、前記浴槽内側面を凹凸状に形成したことを特徴とする浴槽。
【発明の詳細な説明】
【技術分野】
【０００１】  本発明は、浴槽内側面に凹凸を施すことにより、浴槽が冷えていた時に浴槽内壁面に身体を接した場合でも温かく入浴でき、同時に身体のツボのマッサージができる浴槽に関する。
【背景技術】
【０００２】  従来、入浴時のマッサージに関して、様々な装置が開発されているが、いずれも浴槽以外のマットやシャワー等の装置を必要とするものであり、入浴者がマッサージ効果を得たいと思った場合にはわざわざそれらの装置を準備・使用する必要があった。また、従来の浴槽内面については実公昭５４−３３５５９号公報に示されているように、浴槽本体の底壁全面に滑り止め用の凹凸面を形成したものがあったが、マッサージ及び保温効果が得られるように浴槽側壁面に凹凸を施した浴槽は存在しなかった。
【発明の開示】
【発明が解決しようとする課題】
【０００３】  従来の浴槽内側壁面には凹凸はなく平滑となっている。浴槽内で浴槽壁面によりかかった場合に背中があたる部分が平らであったほうが心地良いとの発想からできるだけ平滑になるよう加工されていると考えられる。しかしながら背中全面が浴槽内側壁面にぴったりと接することにより浴槽自体の冷たさを感じてしまい心地良い入浴感を得られないこととなる。また、浴槽内壁面が平滑の場合はよりかかることによりツボ刺激によるマッサージ効果は得ることができない。
【課題を解決するための手段】
【０００４】上記課題を解決するために本発明は、浴槽であって、浴槽内側壁面を凹凸状に形成したことを特徴とする浴槽である。
【発明の効果】
【０００５】  以上の通り、本発明によると、入浴時に手軽にマッサージが行え且つ温かい入浴をすることのできる浴槽が提供される。
【発明を実施するための最良の形態】
【０００６】  図面を参照して、本発明を詳細に説明すると、図１は本実施例に係る浴槽の使用状態を示す説明図である。【０００７】  図１に示すように、本発明の一例の浴槽は内側面に凸部１と、凹部２を主に備えている。【０００８】  凸部１と、凹部２との間は一定のあるいは任意の高さを保持するようにする。【０００９】  使用状態のときには凸部１が使用者の身体に接し、凹部２は接しないためツボ刺激によるマッサージの効果が得られる。同時に凹部２には浴槽内の温水が存在することにより、浴槽が冷えている場合に使用者の身体と浴槽とが均一に接した時の冷たさ、寒さを回避する。【００１０】  本発明においては、凸部１と、凹部２の大きさや形状については円形に限定されず、それらの配置についても限定されない。
【図面の簡単な説明】
【００１１】
【図１】本発明に係わる浴槽の使用状態を示す説明図。
【符号の説明】
【００１２】１  内側側面凸部
２  内側側面凹部
【図１】
2006271936.tif 000003
(57)【要約】【課題】杖などの所持品の不用意な移動を防止するための手段を提供する。【解決手段】弾性体により互いに押圧接触する一対の挟持片からなる挟持体を複数個設け、挟持片適所に通し穴を設けるとともに、該通し穴を挿通する紐を設けることにより、互いの挟持体を関係付けたことを特徴とする。【選択図】      図６
2006271935.tif 000002
【特許請求の範囲】
【請求項１】
弾性体により互いに押圧接触する一対の挟持片からなる挟持体を複数個設け、挟持片適所に通し穴を設けるとともに、該通し穴を挿通する紐を設けることにより、互いの挟持体を関係付けたことを特徴とする物品挟持具。
【請求項２】
紐に代えてチェーンを用いてなる請求項１記載の物品挟持具。
【発明の詳細な説明】
【技術分野】
【０００１】  この発明は、杖その他の物品が所定位置から不用意に移動することを防止するための挟持具に関する。
【背景技術】
【０００２】  従来より、洗濯ばさみやクリップなどの挟持具が多用されているが、本発明にて示すように、複数個の挟持体を紐を介して関係づけた挟持具は見当たらない。
【発明の開示】
【発明が解決しようとする課題】
【０００３】  従来より、物品を挟持するための用具として、洗濯ばさみやクリップ等が利用されている。これは自発的押圧挟持機能を有する物品で、洗濯物を吊り下げたり、複数枚の紙類を挟持するためのものである。一方、杖や傘あるいはハンドバッグ等は所持品として利用されるが、イスに腰掛けたりするとき、これらの物品の置き場所が定まらず、例えば杖はテーブルに持たせかけたりするが、何かのはずみで倒れてしまうことがある。
しかしテーブルにはこの杖の位置保持に適した形状・構造は不在であり、杖の安定保持のための手段が望まれている。本発明は、以上のような従来からの不便さを解消するために発明されたもので、このような場合に便利に使用できる、新規な物品を提供するべく開発されたものである。
【課題を解決するための手段】
【０００４】  課題を解決する手段として本発明は、複数の挟持体とこれらの挟持体を紐にて関係づけてその主要部を構成した。すなわち、弾性体により互いに押圧接触する一対の挟持片からなる挟持体を複数個設け、挟持片適所に通し穴を設けるとともに、該通し穴を挿通する紐を設けることにより、互いの挟持体を関係付ける。本発明は以上の構成よりなる物品挟持具である。
【発明の効果】
【０００５】  本発明によれば、一方の挟持体で固定物を他方の挟持体で物品を狭持させ、これらの挟持体は紐にて関係づけられているため、この物品の移動範囲が規制されることとなり、物品の不用意な移動を防止できる有用なる挟持具を提供することができる。
【発明を実施するための最良の形態】
【０００６】  以下、本発明の実施形態について説明する。
図において、１は合成樹脂成形による挟持体である。この挟持体は一対の挟持片２，３と一本の弾性体４から構成される。この挟持片は湾曲状の前部と直線状の後部が一体成形され、その中間に円弧形の支点部５が形成されている。前部には凹凸面を有する先端挟持部６と中間挟持部７が設けられ、後部には長穴８と通し穴９が設けられる。
また、前部内側には受け部１０が、前部外側適所には孔１１が形成され、湾曲鋼線による弾性体はその両端を受け部に押圧させるとともに、前記長穴を挿通して位置している。
また、支点部は一方の挟持片は凹部形に、対応する他方の挟持片は凸部形であり、この凸部と凹部が噛み合って押圧接触している。従って、双方の挟持片後部をつまんで押圧することにより、前部は互いに離れ、押圧解除にて復帰して先端挟持部が押圧状態となる構造である。１４は紐で、前記通し穴の一方と他方を挿通している。【０００７】  杖とテーブルの関係にて本発明を使用するには、図６にて示すように、まず一方の挟持体を開いて杖の適所に押圧接触させる。杖断面は円形であるので、中間挟持部が杖側面に押圧接触して挟持体が保持される。次ぎに他方の挟持体を開いてテーブル端面を狭持する。
このときは先端挟持部がテーブルに押圧接触する。この二つの挟持体は紐にてつながっているので、杖の移動範囲が規制され、不用意に杖を倒すことが防止できる。
なお、図６では互いの挟持関係を示すため、杖を床面に直立させて表現したが、実際は杖はテーブルに持たせかけた状態となる。
以上、本発明について説明したが、本発明は挟持可能な他の物品、例えばハンドバッグ、衣類など種々の場合に利用可能であり、洗濯した一足の靴を狭持し、物干し竿に掛け渡して乾燥させる場合にも有効である。また、図５にて示すように挟持片の一方同志に紐を通す以外に、すべての通し穴に紐を通して使用することもできる。すなわち、一方の挟持体の双方の通し穴と他方の挟持体の双方の通し穴に紐を通してもよい。あるいは、紐を環状にして用いる以外に、紐端を各々挟持片に結びつけて使用してもよい。また、紐に代えてチェーンを用いてもよい。必要に応じて２個以上の挟持体を紐に関係づけて用いてもよい。以上のごとく、本発明にて種々の物品の位置移動規制を可能とする有用なる物品を得ることができる。
【図面の簡単な説明】
【０００８】
【図１】  本発明の挟持体の平面図
【図２】  本発明の挟持体の正面図
【図３】  Ａ−Ａ断面図
【図４】  本発明の支点機能説明図
【図５】  本発明の正面図
【図６】  本発明の使用説明図
【符号の説明】
【０００９】  １    挟持体
２    挟持片
３    挟持片
４    弾性体
５    支点部
６    先端挟持部
７    中間挟持部
８    長穴
９    通し穴
１０  受け部
１１  孔
１２  凸部
１３  凹部
１４  紐
１５  杖
１６  テーブル
【図１】
2006271935.tif 000003
【図２】
2006271935.tif 000004
【図３】
2006271935.tif 000005
【図４】
2006271935.tif 000006
【図５】
2006271935.tif 000007
【図６】
2006271935.tif 000008
(57)【要約】      （修正有）【課題】寒さから足を守るため及び、ひざの上に荷物やハンドバッグをのせなくても済むようにする車イス用足カバーを提供する。【解決手段】適正素材で下面と上面が途中からつながっている袋形をした足カバーで、開閉部分１はファスナーなどでつながり、外側および内側にポケット３が設けてある。【選択図】図１
2006271929.tif 000002
【特許請求の範囲】
【請求項１】
本体は背もたれ部からつながっている袋形の入り口から足元までの片方にファスナーなどを付け開閉自在にし、もう片方は上部分と下部分がつながっている為、向こう側にたおして開き、本体の背中部分は車イスの背もたれ部をまたいで折り返し本体の後面２ヶ所に付けたすべり防止のためのマジックテープなど適正素材を使用している部分に張り付ける様にし座面部もすべり防止の為車イスに取り付ける部分を有する。袋形になっている足元の部分はファスナー側から入り口を付けた、カイロなどの収納部を作る。  袋形になっている部分の外側や内側にポケットを付け必要な物を収納できる様にし又中の物が外に落ちない様ポケットの入り口にボタンやマジックテープなどを付ける。袋形の片方は上部分と下部分がつながっている為、完全に開いても本体から外れることはない。車イスに簡単に取り付けたり外したりが可能な車イス用足カバーである。
【発明の詳細な説明】
【発明の詳細な説明】
【０００１】［発明の属する技術分野］  本体の背中部分と座面部分にすべり防止の為に付けたマジックテープなどで車イスに取り付けることができる様にした。袋形の入り口から足元まで片方にファスナーなどを付け完全に開閉できる様にし、足元にはカイロなどを入れることができる様、収納場所を作り入り口を作る。  袋形の外側や内側にポケットを付けポケットの入り口にはボタン、マジックテープなどで止められる様にする。
【０００２】［従来の技術］  従来の足カバーは車イスに取り付けたり外したりすることができなかったし、必要な物を収納することもできなかった。
【０００３】［発明が解決しようとする課題］  寒い日でも外出ができ、ひざの上にバッグなど荷物を置かなくても済むようにする。
【０００４】［この課題を解決させるための手段］  本体は車イスに取り付けたり外したりすることができ、片方を開けることによって、全開することができ、乗り降りが簡単にできる。又、ポケットを付けることによって、必要な物を収納できる様にした。足元の部分に収納場所を作り、カイロなどを入れて使用できる様にした。
【０００５】［発明実地の形態］  適正素材で下面と上面が途中からつながっている袋形をした足カバーで、片方を開くことにより全開にすることができる。背面と座面部分にすべり防止の為、車イスに取り付け可能な部分を有する。  袋形になっている開閉自在の側面はファスナー、あるいはマジックテープなどを使用し、もう片方は上部分と下部分がつながっているので、カバーを開いても上部分と下部分が完全に外れない様になっている。ポケットは外側内側に付ける。ポケットの入り口にはボタン、マジックテープなどを付ける。  足元にカイロなどが入れられる様な小さい収納場所を作り、開閉側から入り口を作る。
【０００６】［実地例］  実地例について図面を参照して説明すると図１は車イス用足カバーの内面図である。図２は外面図である。図３は側面図である。
【０００７】［発明の効果］  この発明によって寒い日でも足をあたたかく保つことができ、又、靴をはかなくても足元が安心できる。足カバーの外側や内側にポケットを付けることにより、ハンドバッグや荷物をひざの上にのせる必要がなくなる。
【図面の簡単な説明】
【０００８】
【図１】車イス用足カバーの内面図である。
【図２】車イス用足カバーの外面図である。
【図３】車イス用足カバーの側面図である。
【符号の説明】
１．開閉部分  ２．収納部入り口  ３．内ポケット  ４．マジックテープあるいはボタン  ５．外ポケット
【図１】
2006271929.tif 000003
【図２】
2006271929.tif 000004
【図３】
2006271929.tif 000005
(57)【要約】【課題】従来、立方体は単体で使うゲームが主流だった（例ルービッツク・キューブ等）。したがって遊びを共有・共感することが乏しかった。しかし立方体をボード上で駒として使用し、お互い勝敗を競い合うことでより密な共有・共感を提供する。【解決手段】ボード（１）上に立方体（２）を駒として用い、上下左右斜めのいずれか先に五つそろえて勝敗とする。【選択図】図２
2006271923.tif 000002
【特許請求の範囲】
【請求項１】
立方体を駒として用い、ボード上で上下左右斜めのいずれか先に五つそろえて勝敗とするボードゲーム。
【発明の詳細な説明】
【技術分野】
【０００１】  この発明は立方体を使ったボードゲームに関するものである。
【背景技術】
【０００２】  従来、立方体を単体で使うゲームはあったが、駒として用いボード上で勝敗を競うゲームは無かった。
【発明の開示】
【発明が解決しようとする課題】
【０００３】  これはつぎのような問題点があった。
立方体を単体で使うゲームは対戦相手が自身になりがちで、遊びを共有・共感できない場合が多かった。
本発明は、以上のような欠点をなくすためになされたものである。
【課題を解決するための手段】
【０００４】  立方体を単体で使用せず駒とし、ボード上で勝敗を競う。
以上の構成よりなる立方体を使ったボードゲームである。
【発明の効果】
【０００５】  本発明はこのような構成だから、使用時に対戦相手を必要とし、遊びを共有・共感することができる。
【発明を実施するための最良の形態】
【０００６】  以下、本発明の実施について説明する。
３０ｃｍ×３０ｃｍ（１）のボードに、３ｃｍ（２）幅のマスを１００ｍマス設ける。
２．５ｃｍ×２．５ｃｍ（３）の立方体を１００個用意する。
その立方体を駒として使い、上下左右斜めのいずれか先に五つそろえることを勝敗として使用するとよい。
【図面の簡単な説明】
【０００７】
【図１】ボードの斜視図である
【図２】立方体の斜視図である
【符号の説明】
【０００８】  １  ボード
２  マス
３  立方体
【図１】
2006271923.tif 000003
【図２】
2006271923.tif 000004
(57)【要約】【課題】  本発明は紫外線による体への害や日焼け（シミやそばかす）を防ぐ為に、花粉や塵、ウィルスなどを通さない繊維を用いた素材のマスクに紫外線をカットする素材を加えたマスクを提供するものである。【解決手段】  花粉や塵、ウィルスなどを通さない繊維を用いた素材のマスクに紫外線をカットする素材を加える。紫外線カットの素材は層のように一枚加えてもよいし、マスク本体の生地に織り込んでもよい。【選択図】  図１
2006271922.tif 000002
【特許請求の範囲】
【請求項１】
花粉や塵、ウィルスなどを通さない繊維を用いた素材のマスクに紫外線を通さない素材を加え、紫外線から肌を防護する事を特徴とするマスク。
【発明の詳細な説明】
【技術分野】
【０００１】  本発明は、花粉や塵、ウィルスなどから守るマスクに、さらに紫外線を通さない機能を加えたマスクに関するものである。
【背景技術】
【０００２】  現在、環境破壊によるオゾン層破壊により紫外線の量が増加している。紫外線は体、皮膚に発ガンや日焼けなど、悪影響を与えるもので、従来、外出する際など日傘をさしたり、日焼け止めを塗ったりしている。また、マスクは、花粉症や風邪などの予防で、鼻やのどを守る為に装着することは知られている。
【発明の開示】
【発明が解決しようとする課題】
【０００３】  日常生活での外出の際の紫外線予防に関しては、次のような問題点があった。
紫外線から顔などの皮膚を守るには、日焼け止め液があるが、数時間後塗り直さないと効果がなくなってしまう。日傘は、手が塞がる不便さと、アスファルトによる紫外線の照り返しが防げない。顔にマスクを装着していても、そのマスクが紙や布、または他の繊維でできている白い素材の為、紫外線を通してしまい、紫外線による体への害や日焼け（シミやそばかす）の一因となっている。
本発明は、以上の問題点を解決し、日常生活の中で自然と紫外線から皮膚を守ることを考案したものである。
【課題を解決するための手段】
【０００４】  花粉や塵、ウィルスなどを通さない繊維を用いた素材のマスクに紫外線を通さない素材を加える。紫外線を通さない素材は層のように一枚加えてもよいし、マスク本体の生地に織り込んでもよい。また、マスクの内側にポケット部分を設け、紫外線を通さない素材を差し込んでもよい。ここでのマスクとは、花粉用に限らず、例えば、防塵、風邪、小児用などとしてもよい。
【発明の効果】
【０００５】  上記のように構成された本発明を装着することにより、紫外線を防ぐことができる。また、傘を持つ手間や煩わしさもなく、時間を気にする必要もなくなり、さらに最も紫外線が強く当たる頬の上部を装着中紫外線から守る効果がある。
【発明を実施するための最良の形態】
【０００６】  以下、本発明実施の形態を説明する。
布や繊維、紙などでできたマスク（１）に花粉防護フィルター（２）と、紫外線を通さない素材（３）を追加し、それらを縁のところで綴じ合わせる。
本発明は以上の構成よりなる。
本発明を使用する際は、帯や紐を耳にかけ、鼻を中心にして目の下まで皮膚を覆い隠すように装着する。
【図面の簡単な説明】
【０００７】
【図１】本発明の素材を示した斜視図である。
【図２】本発明の装着方法を示した使用方法の図である。
【符号の説明】
【０００８】１  布や繊維、紙などでできた繊維
２  花粉防護フィルター
３  紫外線を通さない素材
４  紐または帯状の耳フック
５  １と２と３が重なっているもの
【図１】
2006271922.tif 000003
【図２】
2006271922.tif 000004
(57)【要約】【課題】  外気功師がいなくても、一般家庭で容易に人体に気を取り込め、人体の気の流れを改善し、正常な状態に回復するものであり、また、外気功師が長時間施術をしても疲労が軽減され、極度な施術効果の低下を防止することが可能な外気発生装置を提供する。【解決手段】一般家庭用交流１００Ｖコンセントのアース側から取り入れた気を、外気増幅放射用複合気極板から人体に放射して使用することを特徴とする。【選択図】  図１
2006271928.tif 000002
【特許請求の範囲】
【請求項１】
外気増幅放射用複合気極板（１）に導気線（２）を接続し、その導気線（２）に一般家庭電源コンセント用プラグ（３）を接続した外気発生装置である。
【発明の詳細な説明】
【技術分野】
【０００１】  この発明は、一般家庭用の交流１００Ｖコンセントのアース側より地の気を取り込み、電線を介して、地の気を増幅し放射する種類の異なる物質でできた気の極となる板、（以降、外気増幅放射用複合気極板と言う）、でその気を増幅し人体に放射させ、人体に取り込み、人体の気の流れを整え、人体を正常な状態に回復させるものである。
【背景技術】
【０００２】  外気功師は、自身の身体から外気を放射して施術を行う。しかし、外気功師の放射する外気はそのときの外気功師の精神的肉体的コンディションにより安定せず、コンディション不良のときは、施術効果が得られないばかりか、長時間外気放射すれば極度な疲労を免れない。
また、日本における外気功師の数は非常に少なく、被施術者の誰もが外気功師の施術を受けられるものではない。
そこで、構造的に単純で、故障なく安定した外気を常時放射でき、かつ、低価格で維持費がかからず、誰もが購入でき所有できる外気発生装置を発明しました。
【発明の開示】
【発明が解決しようとする課題】
【０００３】  これまでは、次のような欠点があった。
（イ）外気功師は数が少なく、被施術者の誰もが外気功施術を受けられるものではない。
（ロ）今までの外気発生装置は高価であり、被施術者の誰もが所有できるものではない。
（ハ）外気功師が長時間外気放射すれば、極度な疲労を免れず、施術効果も低下する。
本発明は、以上のような欠点をなくすためになされたものである。
【課題を解決するための手段】
【０００４】  外気増幅放射用複合気極板（１）に導気線（２）を接続し、その導気線（２）に一般家庭電源コンセント用プラグ（３）を接続する。
本発明は、以上のような構成でなる外気発生装置である。
【発明の効果】
【０００５】  本発明により、
（イ）外気功師がいなくても、被施術者自身で外気施術を受けられる。
（ロ）低価格なので、被施術者の誰もが本外気発生装置を購入でき所有できる。
（ハ）外気功師が本外気発生装置を使用して施術を行えば、外気功師の疲労が軽減され、より施術効果が上がる。
以上の効果が得られる。
【発明を実施するための最良の形態】
【０００６】  以下、本発明を実施するための最良の形態について説明する。
外気増幅放射用複合気極板（１）に導気線（２）を接続し、その導気線（２）に一般家庭電源コンセント用プラグ（３）を接続する。
本発明は、以上のような構造で、一般家庭電源コンセント用プラグ（３）を一般家庭用の交流１００Ｖコンセントのアース側に差し込み、外気増幅放射用複合気極板に人体を近づけて使用する。
【図面の簡単な説明】
【０００７】
【図１】  本発明の全体図である。
【符号の説明】
【０００８】  １  外気増幅放射用複合気極板
２  導気線
３  一般家庭電源コンセント用プラグ
【図１】
2006271928.tif 000003
(57)【要約】      （修正有）【解決手段】洗濯機に入る大きさのリング１の表裏にずり止めのための凹凸を設ける。これを使用するときは、リング１の上にシーツ４をリング１が中心になるように広げる。シーツ４の凡そのつまみ部５の４箇所を一つずつつまみ上げ、リングの上のピン留め部まで持って行き各々のピンで留める。輪の中にたるみができることにより４方が短くなり包み合うことや、絡み合うこともなくなる。セットが終えたら洗濯機内に入れる。一見くらげ形であるが、ひらひら開き小物類を入れても包みこまず、水流と共にほこり等を流すことができる。【効果】限られた洗濯機水槽内でも包み込みを防ぎ、布全体に水流が当たり振り洗い式のような効果的な洗濯ができる。【選択図】図４
2006271924.tif 000002
【特許請求の範囲】
【請求項１】
リング形状の表裏にずり止め凹凸を設け、リングにセットするピン挟み部にも凹凸を設けたことを特徴とする洗濯リング。
【発明の詳細な説明】
【技術分野】
【０００１】本発明は、リング形状にピンを留める洗濯リングに関するものである。
［背景技術］【０００２】従来、洗濯機内でこの様な道具を使用することはなかった。
［発明の開示］
［発明が解決しようとする課題］【０００３】そのために、次のような問題点があった。
（イ）面積が大きいシーツ、掛けカバー、タオルケット等の場合回っているうちにくるみこまれて丸くなり、糸くず、ほこり等水中に浮遊できず、終えた時に振り払いすることになる。
（ロ）シャツ等の小物とシーツ等を一緒に洗うとくるみ込まれ、汚れが浮遊できなくなる。
本発明は、これらの問題点を解決するためになされたものである。
［課題を解決するための手段］【０００４】  リング形状の表裏にずり止め凹凸を設け、リングにセットするピン挟み部にも凹凸を設ける。以上を特徴とする洗濯リングである。
［発明の効果］【０００５】  限られた洗濯機水槽内でも包み込みを防ぎ、布全体に水流が当たり振り洗い式のような効果的な洗濯ができる。
［発明を実施するための最良の形態］【０００６】以下、本発明の実施の形態について説明する。
（イ）洗濯機に入る大きさのリング（１）の表裏にずり止めのための凹凸（２）を設ける。
（ロ）ピン（３）の挟み部上下にもずり止めのための凹凸を設ける。
本発明は、以上のような構成で、これを使用するときは、リング（１）の上にシーツ（４）を広げるが、リング（１）が中心になるように広げ乗せる。
シーツ（４）の凡そのつまみ部（５）４箇所を一つずつつまみ上げ、リングの上のピン留め部まで持って行き各々のピン（３）で留める。輪の中にたるみができることにより４方が短くなり包み合うことや、絡み合うこともなくなる。
セットが終えたら洗濯機内に入れる。一見くらげ形であるが、ひらひら開き小物類を入れても包みこまず、水流と共にほこり等を流すことができる。特に、厚みのあるシーツや、タオルケットに便利である。
［実施例１］【０００７】  リング材質として、しっかりとした円は保つが、軽く当たりソフトなポリプロピレン等がよい。
【図面の簡単な説明】
【０００８】［図１］本発明の平面図
［図２］本発明の正面図
［図３］本発明のピン
［図４］本発明の実施例を示す平面図
【符号の説明】
【０００９】１  リング
２  ずり止め
３  ピン
４  シーツ
５  つまみ部
６  ピン留め
【図１】
2006271924.tif 000003
【図２】
2006271924.tif 000004
【図３】
2006271924.tif 000005
【図４】
2006271924.tif 000006
(57)【要約】【課題】  幼児や老人、身体障害者の手が不自由な人が食事をするときに、それぞれが容易に使用でき、特にスプーン等を用いたとき、複数種類の食物が皿上で混ざることなく載置できる組み合わせ皿を提供する。【解決手段】  組み合わせ皿１は、大皿２と小皿４とを含む。大皿２は周壁部２ｂと、底面２ａと、周壁部２ｂの上部の装着部２ｃに装着される半Ｒ形状カバー３を含む。小皿４は、大皿２の底面２ａと周壁部２ｂの内面に沿って形成される。【選択図】  図１
2006271921.tif 000002
【特許請求の範囲】
【請求項１】
平状な底面と、その端部から上方に半Ｒ形状に立ち上がった周壁部とを有し、周壁部上部の円周方向に３６０度回転自在に着脱可能な半Ｒ形状カバーが装着された大皿と、前記大皿の底面上に３６０度回転自在に載置できる小皿とを含み、前記小皿は、前記底部と前記周壁部の内面に沿う形状を有する、組み合わせ皿。
【請求項２】
前記周壁部は円形である。請求項１に記載の組み合わせ皿。
【発明の詳細な説明】
【技術分野】
【０００１】  本発明は、組み合わせ皿に関し、特に、幼児や老人、身体障害者の手が不自由な人の食事に使用できる組み合わせ皿に関する。
【背景技術】
【０００２】  従来の各種の組み合わせ可能な皿が公知である。
【発明の開示】
【発明が解決しようとする課題】
【０００３】  従来の、組み合わせ皿は美観のために組み合わされることが多く、幼児や老人、身体障害者にとっての使用はあまり考慮されていなかった。また、組み合わせ皿としての機能が十分発揮されていなかった。【０００４】  本発明は、前記した問題点に着目してなされたもので、幼児や老人、身体障害者の手が不自由な人が食事をするときも、それぞれが容易に使用でき、特にスプーン等を用いたとき、複数種類の食物が皿上で混ざることなく載置できる組み合わせ皿を提供することを目的とする。
【問題を解決するための手段】
【０００５】  この発明にかかる組み合わせ皿は、平状な底面と、その端部から上方に半Ｒ形状カバー着脱可能な上部装着部を有し半Ｒ形状に立ち上がった周壁部とを有する大皿と、大皿の平状底面と周壁部に沿って３６０度回転自在に載置される小皿を含み、小皿は大皿の底面に沿う平状底面と、その周壁部に沿う半Ｒ形状端部とを有する。
【０００６】  大皿の半Ｒ形状周壁部上部の装着部は、その円周に有しているため、任意の位置に半Ｒ形状カバーが着脱可能であり、また、装着後は装着部に沿って３６０度回転できる。その結果、半Ｒ形状カバー部位にスプーン等を押し当てることにより、食物がスプーン上に載ることができる。また、皿上の複数種類の食物が相互に混ざることなく、スプーン上に載せることができる。
【０００７】  小皿は大皿の底面と周壁部に沿って３６０度回転自在に載置できるため、小皿上の複数種類の食物が任意の位置で選択できる。
【発明の効果】
【０００８】  上述したように本発明のＲ式形皿は、大皿の半Ｒ形状周壁部上部の円周方向に沿って、３６０度回転移動できる半Ｒ形状カバーの装着と、大皿の底面で３６０度回転自在な小皿により、幼児や老人、身体障害者の手が不自由な人がスプーン等で容易に、かつ、複数種類の食物を相互に混ざることなく選択できる機能性の高い組み合わせ皿を提供する。
【発明を実施するための最良の形態】
【０００９】  以下、本発明の実施の形態を図１〜図４に基づいて説明する。【００１０】  図１はこの発明の一実施の形態に係る組み合わせ皿の断面図である。図１を参照して、この発明の形態にかかる組み合わせ皿１は、大皿２と大皿２の上に載置された小皿４とを含む。大皿２は、平状な底面２ａと、その端部から上方に半Ｒ形状カバー３が着脱可能な装着部２ｃを有し半Ｒ形状に立ち上がった周壁部２ｂとを有する。【００１１】  小皿４は大皿２の上に３６０度回転自在に載置されるように、大皿２の底面２ａと、その周壁部２ｂの内面に沿って形成される。【００１２】  半Ｒ形状カバー３は大皿２の周壁部２ｂ上部の装着部２ｃに装着でき、その円周方向に自在に移動できる。
【図面の簡単な説明】
【００１３】
【図１】この発明の一実施の形態にかかる、組み合わせ皿の断面図である。
【図２】図１における大皿２の正面図である。
【図３】図１において３を示す正面図である。
【図４】小皿を示す図である。
【符号の説明】
【００１４】  １      組み合わせ皿
２      大皿
２ａ    底面
２ｂ    周壁部
２ｃ    装着部
３      半Ｒ形状カバー
４      小皿
【図１】
2006271921.tif 000003
【図２】
2006271921.tif 000004
【図３】
2006271921.tif 000005
【図４】
2006271921.tif 000006
(57)【要約】【課題】手軽に携行し、何時でも使用できる健康器具。本発明は、従来商用電気線の無い場所では使用出来なかった高電位治療器。【解決手段】携帯用健康器具の本体握り部分に導電性物質で包み＋電極とし、操作する他の局部に−電位を出力できる。電池で駆動する健康器具。【選択図】図１
2006271910.tif 000002
【特許請求の範囲】
【請求項１】
握り部を導電性の物質で作り、他の一端を電極とした携帯用健康器具。
【発明の詳細な説明】
【技術分野】
【０００１】本発明は握り手とマイナス電極間の微電流効果により、筋肉痛、肩こり、神経痛などを和らげる効果が得られることを、場所、時間等を制限されずに利用できる様に考案した物である。
【背景技術】
【０００２】従来の健康器具では、商用電源で使用する物がほとんどで、携行出来るものは本技術が最初である。
【発明の開示】
【発明が解決しようとする課題】
【０００３】手軽に携行し、何時でも使用できる健康器具を提供する。
本発明は従来商用電気線の無い場所では使用出来なかった、高電位治療器。マイナスイオン美顔器など、電源に商用電源に依存していた不便さを解決したものである。
【課題を解決するための手段】
【０００４】常時携行できるような大きさに工夫され他、携帯用健康器具の本体握り部分に導電性物質で包み、＋電極とし、操作する他の局部に−電位を出力できるようにした、電池で駆動する健康器具である。
【図面の簡単な説明】
【０００５】
【図１】  図１は製品図である。
【図１】
2006271910.tif 000003
(57)【要約】【課題】従来のトレーニング器具にはない、安全性、経済性に優れた特徴を持ち、しかも楽しくトレーニングができる器具であり、同時に健康の維持、向上によって人間社会に貢献することを目的としている。【解決手段】ゴムあるいは各種の合成樹脂等の弾力性物質で構成されたボール。内部には、弾力性のあるゴムボール又は空洞化、ゲル・ゾル状の弾性流動体等を、単一、あるいは適宜混合して充填封入したボール形状又は楕円形の、従来この種の運動器具にはなかった、利用方法の自由度が高さと同時に安価で安全性に優れ筋力向上、リハビリ効果を目的とした健康器具を提供することができる。【選択図】図１
2006271909.tif 000002
【特許請求の範囲】
【請求項１】
ゴムあるいは各種の合成樹脂等の弾力性物質で構成されたボール。内部には、弾力性のあるゴムボール又は空洞化、ゲル・ゾル状の弾性流動体等を、単一、あるいは適宜混合して充填封入したボール形状の筋力向上、リハビリ効果を目的とした健康器具。
【請求項２】
前記ゴムボール状の健康器具において将来性として、使用するゴム素材に熱で色が変わるという特殊加工を施した素材を利用する。見た目で楽しさを演出すると同時に運動方法、力加減の目安としても利用できることを特徴とする請求項１記載のボール状の健康器具。
【請求項３】
前記ゴムボール状の健康器具において将来性として、使用するゴム素材にリラックス効果のあるハーブエキス等の成分を適宜混合し、放置時又は利用する事で匂い成分が放出されリラックス効果を特徴とする請求項１記載のボール状の健康器具。
【発明の詳細な説明】
【技術分野】
【０００１】本発明は、筋力向上、リハビリ効果等を目的とした従来のトレーニング器具にない、簡易性、安全性、経済性に優れた特徴を持ち同時に健康の維持を目的とした万能トレーニングボールである。
【背景技術】
【０００２】従来の技術は、鉄、鉛等の金属性の重量を利用したり、バネあるいはゴムの弾性を利用するなど、危険性を伴うものであった。また、一つの器具で単一あるいはごく限られた種類の運動しかできないという欠点を持っていた。このような器具では経済的にも負担が大きい上、初心者や機能障害者のトレーニングに適する物ではなかった。
【発明の開示】
【発明が解決しようとする課題】
【０００３】以上にも述べた従来の技術は簡易的ではなく、継続に苦痛をともない誰もが楽しく安全にトレーニングできる物ではなかった。【０００４】本発明は、このような従来の構成が有していた問題を解決しようとするものであり、簡易性、安全性、経済的負担の軽減、誰もが楽しくトレーニングできることを実現し目的とするものである。
【課題を解決するための手段】
【０００５】そして、本発明は上記目的を達成するために直径１０センチから１５センチ程度のボール形状として、素材にはシリコン、シリコンゴム、天然ゴム・スチレンゴム・ブタジェンゴム・クロロブレンゴム・ブチルゴム・ニトリルゴム・エチレンプロピレンゴム・シリコーンゴム・ウレタンゴム等を利用し触り心地、手とのフィット感を実現させると同時に安全性を確保する。【０００６】また、手に乗るサイズにすることで収納等にともなう経済的負担を軽減する。使用する場所を限定せず、簡易的に誰もが楽しくトレーニングできる。
【発明の効果】
【０００７】上述したように本発明の万能トレーニングボールは、伸縮性のあるゴム等の素材を活かし両手で本発明を左右で握り外側へ引っ張る、又ボール形状を活用して左右から両手で脇を締め本発明を押すという動作を単一、又は繰り返し行い筋力向上、女性ならばバストアップ効果、高齢者ならばボケ防止効果、機能障害者ならばリハビリ効果を発揮する。
【発明を実施するための最良の形態】
【０００８】以下、本発明の実施を図１に基づいて説明する。【０００９】図１、１は本体外部ゴムボール、２は本体内部ゴムボール、３はグリップ切込み部、４は手の平セット部、５は大小ゴム突起である。
【実施例】
【００１０】両手を図１、３のグリップ切込み部に入れ握る、グリップ切込み内部には大小のゴム突起がありツボを刺激すると同時に滑り止めとなる。脇を締め外側へ引っ張る。【００１１】又、図１の４の手の平セット部に両手をあて本発明を挟む。図１の４は手の平にフィットする為に５ミリから１センチ程度凹んである。図１の５大小ゴム突起でツボを刺激すると同時に滑りを防止する。本発明を両手で挟んだ状態で脇を締め内部へ押す。
【図面の簡単な説明】
【００１２】
【図１】本発明、正面全体図である。
【図２】上面から見た図である。
【符号の説明】
【００１３】１、本体外部ゴムボール
２、本体内部ゴムボール
３、グリップ切込み部
４、手の平セット部
５、大小ゴム突起部
【図１】
2006271909.tif 000003
【図２】
2006271909.tif 000004
(57)【要約】【課題】  複数の縦型無端コンベアにかかる負荷を同等にすることにより、撹拌羽根の損傷やチェーンの伸びを減らすことができるとともに、旋回フレーム及びその軸に歪みを起こすことがなく、全ての縦型無端コンベアをスムーズに同時旋回させることができるようにする。【解決手段】  旋回フレームに並設した複数の縦型無端コンベア５Ａ、５Ｂ、５Ｃ、５Ｄの幅員を、円形発酵槽１の中心に近いものから遠くなるに従い段階的に小さくする。【選択図】  図２
2006014706.tif 000002
【特許請求の範囲】
【請求項１】
多数の撹拌羽根群を循環させる複数の縦型無端コンベアを、円形発酵槽の中心部を支点に旋回する旋回フレームに半径方向に並設し、該旋回フレームにより同時に旋回させて円形発酵槽内の発酵物を撹拌する円形発酵槽の撹拌装置において、前記複数の縦型無端コンベアの幅員を、前記円形発酵槽の中心に近いものから遠くなるに従い段階的に小さくしたことを特徴とする円形発酵槽の撹拌装置。
【発明の詳細な説明】
【技術分野】
【０００１】
本発明は、円形発酵槽の撹拌装置、特に、多数の撹拌羽根群を循環させる複数の縦型無端コンベアを、円形発酵槽の中心部を支点に旋回する旋回フレームに半径方向に並設し、該旋回フレームにより同時に旋回させて円形発酵槽内の発酵物を撹拌する円形発酵槽の撹拌装置に関する。
【背景技術】
【０００２】
この種の従来の撹拌装置は、特許文献１（特許第３１９４１４１号公報）や特許文献２（特許第３１１８７６９号公報）等に開示されているように、複数の縦型無端コンベアが全て同じ幅員であった。そのため、次のような問題点があった。
【０００３】
複数の縦型無端コンベアは、旋回フレームの旋回により同時に旋回するが、円形発酵槽の中心に近い縦型無端コンベアと遠い縦型無端コンベアとを比べると、１旋回当たりに要する移動距離は、円形発酵槽の中心から遠くなるほど大きくなるため、円形発酵槽の中心に近い縦型無端コンベアの方が、遠い縦型無端コンベアよりも撹拌する容積が少なく、撹拌容積に差がある。
【０００４】
このため、円形発酵槽の中心より遠い縦型無端コンベアほど、抵抗が大きく過負荷となり、撹拌羽根の損傷やチェーンの伸びが激しく、また旋回フレーム及びその軸に歪みを生ずる。
【特許文献１】特許第３１９４１４１号公報
【特許文献２】特許第３１１８７６９号公報
【発明の開示】
【発明が解決しようとする課題】
【０００５】
本発明の課題は、複数の縦型無端コンベアにかかる負荷を同等にすることにより、撹拌羽根の損傷やチェーンの伸びを減らすことができるとともに、旋回フレーム及びその軸に歪みを起こすことがなく、全ての縦型無端コンベアをスムーズに同時旋回させることができるようにすることにある。
【課題を解決するための手段】
【０００６】
本発明は、複数の縦型無端コンベアの幅員を、円形発酵槽の中心に近いものから遠くなるに従い段階的に小さくすることで、上記の課題を達成するものである。
【発明の効果】
【０００７】
本発明によれば、複数の縦型無端コンベアの撹拌容積が同じになるため、負荷も同等となり、従来は負荷が異なるため生じていた撹拌羽根の損傷やチェーンの伸びを減らすことができるとともに、旋回フレーム及びその軸に歪みを起こすことがなく、全ての縦型無端コンベアをスムーズに同時旋回させることができる。
【発明を実施するための最良の形態】
【０００８】
次に、本発明の実施例を図面に基づいて詳細に説明する。
【実施例】
【０００９】
図１及び図２に示すように、円形発酵槽１内の中心に立設された軸受筒２と、円形発酵槽１の周壁上縁との間に旋回フレーム３が水平に架設され、この旋回フレーム３は、軸受筒２に軸受けされた旋回軸４を支点に図示しない駆動機構により時計方向又は反時計方向に旋回される。
【００１０】
旋回フレーム３には、本例の場合、４台の縦型無端コンベア５Ａ、５Ｂ、５Ｃ、５Ｄが半径方向に並べて垂設（並設）され、これらは、旋回フレーム３の旋回により一体に旋回されながらそれぞれの撹拌羽根群を公知のように循環させて、円形発酵槽１内の発酵物６を個別に撹拌する。すなわち、縦型無端コンベアのコンベア前面部では撹拌羽根により発酵物６を掻き下げ、コンベア後面部では撹拌羽根により掻き上げて撹拌する。
【００１１】
４台の縦型無端コンベア５Ａ、５Ｂ、５Ｃ、５Ｄは、幅員が段階的に異なり、円形発酵槽１の中心に最も近い５Ａが最も幅員が大きく、次に５Ｂ、次に５Ｃ、最後に５Ｄと、円形発酵槽１の中心より遠くなるに従い幅員が小さくなっている。
【００１２】
４台の縦型無端コンベア５Ａ、５Ｂ、５Ｃ、５Ｄの幅員がこのようになっているため、撹拌する容積がほぼ同じになり、従って負荷がほぼ同等となる。
なお、縦型無端コンベアの台数は４台に限られるものではない。
【図面の簡単な説明】
【００１３】
【図１】本発明の実施例を示す平面図である。
【図２】その断面図である。
【符号の説明】
【００１４】
１  円形発酵槽
２  軸受筒
３  旋回フレーム
４  旋回軸
５Ａ、５Ｂ、５Ｃ、５Ｄ  縦型無端コンベア
６  発酵物
【図１】
2006014706.tif 000003
【図２】
2006014706.tif 000004
(57)【要約】【課題】医療現場に直接係るナースコール子機から安全にマイナスイオンを放出させ、患者等の治癒力を向上させるものである。【解決手段】ナースコール子機の筐体内面にトルマリン粉末を塗布するか、又はトルマリン粉末を塗布したシートを貼付することにより実現する。【選択図】図１
2006014788.tif 000002
【特許請求の範囲】
【請求項１】
ナースコール装置の子機において、前記子機の筐体内面にトルマリン粉末を塗布したことを特徴とするナースコール子機。    
【請求項２】
ナースコール装置の子機において、前記子機の筐体内面にトルマリン粉末を塗布したシートを貼付したことを特徴とするナースコール子機。
【発明の詳細な説明】
【技術分野】
【０００１】
本発明はナースコール子機に関する。
【背景技術】
【０００２】
マイナスイオンが体に良いとされ、様々な製品に応用されている。  一方、ナースコール子機においては、抗菌加工を施すなど改良が行われているが、開示した特許文献のようにナースコール子機に応用される例は無かった。
【特許文献１】特開２００３−１１５７１号  公報
【発明の開示】
【発明が解決しようとする課題】
【０００３】
本発明は、医療現場に直接係るナースコール子機から安全にマイナスイオンを放出させ、患者等の治癒力を向上させるものである。    
【課題を解決するための手段】
【０００４】
ナースコール子機の筐体内面にトルマエリン粉末を塗布するか、又はトルマリン粉末を塗布したシートを貼付することにより実現する。    
【発明の効果】
【０００５】
マイナスイオンを発生するトルマリン等をナースコール子機の筐体内面に塗布、又は貼付するので安全にマイナスイオンを発生させることができる。  
【発明を実施するための最良の形態】
【０００６】
ナースコール子機の筐体は一般的に２ピースの部品で構成される。  この筐体に釦、電子部品が取り付けられナースコール子機が完成する。        
【０００７】
本発明では、上記の部品の内面にトルマリン粉末をコーティング材と共に塗布する。  また請求項２に係る例では、トルマリン粉末をコーティングしたフィルム状素材を筐体内に挿入して実現化する。    
【図面の簡単な説明】
【０００８】
【図１】ナースコール子機
【図２】請求項１に係る子機
【図３】請求項２に係る子機
【図１】
2006014788.tif 000003
【図２】
2006014788.tif 000004
【図３】
2006014788.tif 000005
(57)【要約】【課題】清掃時等にタッチパネルが感知し誤動作を防ぐタッチパネル機能付き情報表示装置の提供を課題とする。【解決手段】表示及びタッチパネルの制御を行うコントローラが清掃開始等を意味するトリガースイッチが操作されたことを検出し、タッチパネルからの検出信号を無視する第１の制御と、タッチパネルからの検出信号が途絶えてからの時間をカウントする第２の制御と、一定時間内に新たにタッチパネルからの検出信号を検出した場合にカウントをリセットする第３の制御と、一定時間内に新たにタッチパネルからの検出信号を検出しない場合に第１の制御を停止する第４の制御を行い課題を解決する。【選択図】図２
2006014787.tif 000002
【特許請求の範囲】
【請求項１】
表示手段とタッチパネルと表示及びタッチパネルの制御を行うコントローラとトリガースイッチとからなるナースコールにおける情報表示装置において、前記コントローラは前記トリガースイッチが操作されたことを検出すると前記タッチパネルからの検出信号を無視する第１の制御と前記タッチパネルからの検出信号が途絶えてからの時間をカウントする第２の制御と一定時間内に新たに前記タッチパネルからの検出信号を検出した場合に前記カウントをリセットする第３の制御と一定時間内に新たに前記タッチパネルからの検出信号を検出しない場合に前記第１の制御を停止する第４の制御を行うことを特徴とするナースコールにおける情報表示装置。
【発明の詳細な説明】
【技術分野】
【０００１】
本発明はナースコールにおけるタッチパネル機能付き情報表示装置に関する。
【背景技術】
【０００２】
開示した特許文献のよにナースコールシステムにおいて患者に関する情報を表示する表示装置は従来から公知であった。  
【特許文献１】特開２００４−１２０１７４号  公報
【発明の開示】
【発明が解決しようとする課題】
【０００３】
ところで、タッチパネルは名前が示すとおり、指先等で触れるものであり、使用していると皮脂等の汚れで表示が見にくくなる。  また、本発明のように使用される環境を考慮すれば清潔に保つ必要がある。  通常は柔らかい布等で汚れを拭き取るが、その際にタッチパネルが感知して誤動作を起こしてしまうことがある。そこで本発明は、清掃時等にタッチパネルが感知し誤動作を防ぐタッチパネル機能付き情報表示装置の提供を課題とする。    
【課題を解決するための手段】
【０００４】
表示及びタッチパネルの制御を行うコントローラが清掃開始等を意味するトリガースイッチが操作されたことを検出し、タッチパネルからの検出信号を無視する第１の制御と、タッチパネルからの検出信号が途絶えてからの時間をカウントする第２の制御と、一定時間内に新たにタッチパネルからの検出信号を検出した場合にカウントをリセットする第３の制御と、一定時間内に新たにタッチパネルからの検出信号を検出しない場合に第１の制御を停止する第４の制御を行い課題を解決する。    
【発明の効果】
【０００５】
清掃期間中はタッチパネルからの検出信号を無視するので誤動作を防止できる。    
【発明を実施するための最良の形態】
【０００６】
本発明の一実施例を、図を用いて説明する。図１は本発明の情報表示装置である。  表示装置はタッチパネル、ＬＣＤ等の表示手段、タッチパネルおよび表示手段を制御するコントローラとが筐体に納められている。        
【０００７】
情報表示装置は制御機等に接続され（図示せず）ナースコールに係る情報の表示を行う。  また、タッチパネルを用いて入力された情報を制御機等に送る。        
【０００８】
例えば、清掃等を行う場合はトリガースイッチを操作する。  図１ではスイッチが単独で描かれているが、タッチパネル上の仮想スイッチでもよい。        
【０００９】
トリガースイッチが操作されるとコントローラはタッチパネルからの信号による処理を行わない。  そしてカウンターをスタートさせる。        
【００１０】
タッチパネルからの信号が続く（画面を拭いている状態）限りカウンターはクリアされる。        
【００１１】
タッチパネルからの信号が途絶え（清掃が終了した状態）一定時間が過ぎると、コントローラはタッチパネルからの信号による処理を行う状態に戻る。    
【図面の簡単な説明】
【００１２】
【図１】本発明の情報表示装置
【図２】コントローラの制御を表すフローチャート
【図１】
2006014787.tif 000003
【図２】
2006014787.tif 000004